(57)【要約】【課題】ユーザが所望する再生画像を得られる適切なフレームレートでの動画撮影を可能にする。【解決手段】見本動画像データＡ，Ｂ，Ｃを同時に再生して、第１〜第３画像表示領域内に表示させるとともに、第１画像表示領域にこれを囲繞する枠を表示させる（Ｓ２０５）。動画像Ａ、Ｂ、Ｃの再生フレームレートは、全て同一の６０ｆｐｓである。一方、動画像Ａ、Ｂ、Ｃの撮影フレームレートは「３６０ｆｐｓ」、「２４０ｆｐｓ」、「１２０ｆｐｓ」と全て異なる。枠が表示されている動画像と同一のフレームレートで撮影することが適切であるとユーザが判断した場合には、「決定」を指示する。これより、Ｓ２０９の判断がＹＥＳとなり、このＳ２０９からＳ２１２に進み、撮影条件を設定する。１回目のシャッター押下があったならば（Ｓ２１４：ＹＥＳ）、Ｓ２１２で設定された撮影条件における撮影フレームレートに変更し（Ｓ２１５）、動画撮影を行う。【選択図】図１２
2008099229.tif 000002
【特許請求の範囲】
【請求項１】
複数種の撮影フレームレートを設定可能なカメラ装置であって、
設定された撮影フレームレートを含む撮影条件に応じて動画又は連写撮影時における当該装置の撮影動作を制御する制御手段と、
各々所定の撮影フレームレートで撮影された複数の見本動画像又は見本合成画像とこれら各見本画像の撮影フレームレートを含む撮影条件、及びこの撮影条件の内容を説明する説明情報を記憶する記憶手段と、
この記憶手段に記憶された複数の見本動画像又は見本合成画像とこれら見本画像の撮影条件の内容とを説明する説明情報とを表示する表示手段と、
この表示手段に表示された前記複数の見本動画像又は見本合成画像からいずれかを選択する選択手段と、
この選択手段により選択された前記見本動画像又は見本合成画像の撮影フレームレートを含む撮影条件を設定する設定手段と
を備えたことを特徴とするカメラ装置。
【請求項２】
前記記憶手段は、同一の撮影フレームレートで撮影されかつ被写体が異なる複数の見本動画像又は見本合成画像を一組の見本情報群として、各々撮影フレームレートが異なる複数組の見本情報群を記憶することを特徴とする請求項１記載のカメラ装置。
【請求項３】
前記表示手段は、前記見本情報群毎に複数の見本動画像又は見本合成画像を同一画面上で並列的に再生表示することを特徴とする請求項２記載のカメラ装置。
【請求項４】
前記記憶手段は、各々異なるフレームレートで撮影されかつ被写体が同一である複数の見本動画像又は見本合成画像を記憶することを特徴とする請求項１記載のカメラ装置。
【請求項５】
前記記憶手段は、各々異なる画角で撮影された複数の見本動画像又は見本合成画像を記憶することを特徴とする請求項４記載のカメラ装置。
【請求項６】
前記表示手段は、前記複数の見本動画像又は見本合成画像を同一画面上で並列的に再生表示することを特徴とする請求項４又は５記載のカメラ装置。
【請求項７】
前記表示手段は、前記各見本動画像を同一のフレームレートで再生して表示することを特徴とする請求項２から６にいずれか記載のカメラ装置。
【請求項８】
前記記憶手段は、前記見本動画像又は見本合成画像に対応して再生条件を記憶し、
前記表示手段は、前記記憶手段に記憶された再生条件に従って、記憶手段に記憶された複数の見本動画像又は見本合成画像を再生表示することを特徴とする請求項１記載のカメラ装置。
【請求項９】
撮像手段と、
記録媒体とを更に備え、
前記制御手段は、
前記設定手段により設定された撮影フレームレートで前記撮像手段を駆動して順次フレーム画像を取得する取得手段と、
この取得手段により取得された複数のフレーム画像からなる動画データを前記記録媒体に記録する記録制御手段とを備えることを特徴とする請求項１から８にいずれか記載のカメラ装置。
【請求項１０】
前記記憶手段は、前記見本動画像又は見本合成画像に対応して再生フレームレートを記憶し、
前記記録制御手段は、前記取得手段により取得された複数のフレーム画像からなる動画データとともに、前記記憶手段に記憶されている再生フレームレートを前記記録媒体に記録することを特徴とする請求項９記載のカメラ装置。
【請求項１１】
前記制御手段は、
前記取得手段により取得される複数のフレーム画像からなる合成画像を生成する合成画像生成手段を更に備え、
前記記録制御手段は、前記合成画像生成手段により生成された前記合成画像を前記記録媒体に記録することを特徴とする請求項９記載のカメラ装置。
【請求項１２】
各々所定の撮影フレームレートで撮影された複数の見本動画像又は見本合成画像とこれら各見本画像の撮影フレームレートを含む撮影条件、及びこの撮影条件の内容を説明する説明情報を記憶する記憶手段を備え、複数種の撮影フレームレートを設定可能なカメラ装置が有するコンピュータを、
設定された撮影フレームレートを含む撮影条件に応じて動画又は連写撮影時における当該装置の撮影動作を制御する制御手段と、
前記記憶手段に記憶された複数の見本動画像又は見本合成画像とこれら見本画像の撮影条件の内容とを説明する説明情報とを表示手段に表示させる表示制御手段と、
前記表示手段に表示された前記複数の見本動画像又は見本合成画像からいずれかを選択する選択手段と、
この選択手段により選択された前記見本動画像又は見本合成画像の撮影フレームレートを含む撮影条件を設定する設定手段と
して機能させることを特徴とするカメラ装置制御プログラム。
【請求項１３】
各々所定の撮影フレームレートで撮影された複数の見本動画像又は見本合成画像とこれら各見本画像の撮影フレームレートを含む撮影条件、及びこの撮影条件の内容を説明する説明情報を記憶する記憶手段を備え、複数種の撮影フレームレートを設定可能なカメラ装置の制御方法であって、
設定された撮影フレームレートを含む撮影条件に応じて動画又は連写撮影時における当該装置の撮影動作を制御する制御ステップと、
前記記憶手段に記憶された複数の見本動画像又は見本合成画像とこれら見本画像の撮影条件の内容とを説明する説明情報とを表示手段に表示させる表示制御ステップと、
前記表示手段に表示された前記複数の見本動画像又は見本合成画像からいずれかを選択する選択ステップと、
この選択ステップにより選択された前記見本動画像又は見本合成画像の撮影フレームレートを含む撮影条件を設定する設定ステップと
を含むことを特徴とするカメラ装置制御方法。
【発明の詳細な説明】
【技術分野】
【０００１】
本発明は、動画撮影機能を備えたカメラ装置、及びこのカメラ装置に用いるカメラ装置制御プログラム及びカメラ装置制御方法に関する。
【背景技術】
【０００２】
従来、高速で移動する物体を明瞭な画像でスロー再生可能に撮影する高速度カメラ装置が提案されている。この高速度カメラ装置は、第１、第２、第３の撮像素子を順次作動させることにより、高速移動する球状物体を短い時間間隔で撮像して、時系列的に連続する複数の画像を得る。したがって、これら時系列的に連続する複数の画像をスロー再生した場合であっても、明瞭に球状物体の動作を再生することができる（例えば、特許文献１参照。）。
【特許文献１】特開平０６−２２３２０号公報
【発明の開示】
【発明が解決しようとする課題】
【０００３】
ところで、今日においては６百万画素の解像度で６０フレーム／秒、ＶＧＡの低解像度でも３００フレーム／秒以上など、高解像度で動画撮影が可能なＣＭＯＳイメージセンサが開発されるに至っている。このようなＣＭＯＳイメージセンサを利用すると、前述した従来技術のように第１、第２、第３の撮像素子を用いることなく、コンパクトカメラでも高解像度で高フレームレートの動画撮影が可能となる。
【０００４】
しかしながら、前記ＣＭＯＳイメージセンサを利用すると、高フレームレートで動画が簡単に撮影できるものの、当該被写体をどの程度のフレームレートで撮影することが適切であるかをユーザにおいて事前に判断することは困難である。このため、低速移動する被写体を必要以上に高フレームレートで動画撮影してしまったり、高速移動する被写体を必要以下の低フレームレートで動画撮影してしまう場合が生じてしまう。
【０００５】
しかも、動画の場合、ある速度で移動する同一の被写体であっても、撮影時における被写体との距離に応じて適切な撮影フレームレートは異なることから、ユーザにおいて動画撮影時に適切なフレームレートを設定することは極めて困難である。
【０００６】
本発明は、かかる従来の課題に鑑みてなされたものであり、ユーザが所望する再生画像を得られる適切なフレームレートでの動画撮影や連写撮影を可能にするカメラ装置、カメラ装置制御プログラム及びカメラ装置制御方法を提供することを目的とする。
【課題を解決するための手段】
【０００７】
前記課題を解決するために請求項１記載の発明に係るカメラ装置は、複数種の撮影フレームレートを設定可能なカメラ装置であって、設定された撮影フレームレートを含む撮影条件に応じて動画又は連写撮影時における当該装置の撮影動作を制御する制御手段と、各々所定の撮影フレームレートで撮影された複数の見本動画像又は見本合成画像とこれら各見本画像の撮影フレームレートを含む撮影条件、及びこの撮影条件の内容を説明する説明情報を記憶する記憶手段と、この記憶手段に記憶された複数の見本動画像又は見本合成画像とこれら見本画像の撮影条件の内容とを説明する説明情報とを表示する表示手段と、この表示手段に表示された前記複数の見本動画像又は見本合成画像からいずれかを選択する選択手段と、この選択手段により選択された前記見本動画像又は見本合成画像の撮影フレームレートを含む撮影条件を設定する設定手段とを備えたことを特徴とする。
【０００８】
また、請求項２記載の発明に係るカメラ装置にあっては、前記記憶手段は、同一の撮影フレームレートで撮影されかつ被写体が異なる複数の見本動画像又は見本合成画像を一組の見本情報群として、各々撮影フレームレートが異なる複数組の見本情報群を記憶することを特徴とする。
【０００９】
また、請求項３記載の発明に係るカメラ装置にあっては、前記表示手段は、前記見本情報群毎に複数の見本動画像又は見本合成画像を同一画面上で並列的に再生表示することを特徴とする。
【００１０】
また、請求項４記載の発明に係るカメラ装置にあっては、前記記憶手段は、各々異なるフレームレートで撮影されかつ被写体が同一である複数の見本動画像又は見本合成画像を記憶することを特徴とする。
【００１１】
また、請求項５記載の発明に係るカメラ装置にあっては、前記記憶手段は、各々異なる画角で撮影された複数の見本動画像又は見本合成画像を記憶することを特徴とする。
【００１２】
また、請求項６記載の発明に係るカメラ装置にあっては、前記表示手段は、前記複数の見本動画像又は見本合成画像を同一画面上で並列的に再生表示することを特徴とする。
【００１３】
また、請求項７記載の発明に係るカメラ装置にあっては、前記表示手段は、前記各見本動画像を同一のフレームレートで再生して表示することを特徴とする。
【００１４】
また、請求項８記載の発明に係るカメラ装置にあっては、前記記憶手段は、前記見本動画像又は見本合成画像に対応して再生条件を記憶し、前記表示手段は、前記記憶手段に記憶された再生条件に従って、記憶手段に記憶された複数の見本動画像又は見本合成画像を再生表示することを特徴とする。
【００１５】
また、請求項９記載の発明に係るカメラ装置にあっては、撮像手段と、記録媒体とを更に備え、前記制御手段は、前記設定手段により設定された撮影フレームレートで前記撮像手段を駆動して順次フレーム画像を取得する取得手段と、この取得手段により取得された複数のフレーム画像からなる動画データを前記記録媒体に記録する記録制御手段とを備えることを特徴とする。
【００１６】
また、請求項１０記載の発明に係るカメラ装置にあっては、前記記憶手段は、前記見本動画像又は見本合成画像に対応して再生フレームレートを記憶し、前記記録制御手段は、前記取得手段により取得された複数のフレーム画像からなる動画データとともに、前記記憶手段に記憶されている再生フレームレートを前記記録媒体に記録することを特徴とする。
【００１７】
また、請求項１１記載の発明に係るカメラ装置にあっては、前記制御手段は、前記取得手段により取得される複数のフレーム画像からなる合成画像を生成する合成画像生成手段を更に備え、前記記録制御手段は、前記合成画像生成手段により生成された前記合成画像を前記記録媒体に記録することを特徴とする。
【００１８】
また、請求項１２記載の発明に係るカメラ装置制御プログラムにあっては、各々所定の撮影フレームレートで撮影された複数の見本動画像又は見本合成画像とこれら各見本画像の撮影フレームレートを含む撮影条件、及びこの撮影条件の内容を説明する説明情報を記憶する記憶手段を備え、複数種の撮影フレームレートを設定可能なカメラ装置が有するコンピュータを、設定された撮影フレームレートを含む撮影条件に応じて動画又は連写撮影時における当該装置の撮影動作を制御する制御手段と、前記記憶手段に記憶された複数の見本動画像又は見本合成画像とこれら見本画像の撮影条件の内容とを説明する説明情報とを表示手段に表示させる表示制御手段と、前記表示手段に表示された前記複数の見本動画像又は見本合成画像からいずれかを選択する選択手段と、この選択手段により選択された前記見本動画像又は見本合成画像の撮影フレームレートを含む撮影条件を設定する設定手段として機能させることを特徴とする。
【００１９】
また、請求項１３記載の発明に係るカメラ装置制御方法にあっては、各々所定の撮影フレームレートで撮影された複数の見本動画像又は見本合成画像とこれら各見本画像の撮影フレームレートを含む撮影条件、及びこの撮影条件の内容を説明する説明情報を記憶する記憶手段を備え、複数種の撮影フレームレートを設定可能なカメラ装置の制御方法であって、設定された撮影フレームレートを含む撮影条件に応じて動画又は連写撮影時における当該装置の撮影動作を制御する制御ステップと、前記記憶手段に記憶された複数の見本動画像又は見本合成画像とこれら見本画像の撮影条件の内容とを説明する説明情報とを表示手段に表示させる表示制御ステップと、前記表示手段に表示された前記複数の見本動画像又は見本合成画像からいずれかを選択する選択ステップと、この選択ステップにより選択された前記見本動画像又は見本合成画像の撮影フレームレートを含む撮影条件を設定する設定ステップとを含むことを特徴とする。
【発明の効果】
【００２０】
本発明によれば、当該被写体をどの程度のフレームレートで撮影することが適切であるかをユーザにおいて事前に判断することが可能となり、ユーザが所望する再生画像を得られる適切なフレームレートでの動画撮影や連写撮影が可能となる。
【００２１】
また、動きのある被写体の移動速度は、例えば表示画面内での移動速度としてのｄｏｔ／ｓといった特別な規格で表現する必要があり、この値は、同じ動きをする撮影対象であっても、撮影時のズーム倍率や、当該デジタルカメラと動きのある被写体との相対距離によって異なってしまう。しかし、表示された見本動画像や見本合成画像を視認することにより、ユーザは、撮影時のフレームレートと撮影画角や構図との関係を直感的に認識することもできるようになる。
【発明を実施するための最良の形態】
【００２２】
（第１の実施の形態）
以下、本発明の一実施の形態を図に従って説明する。図１は、本発明の一実施の形態を適用したデジタルカメラ１０の回路構成を示すブロック図である。このデジタルカメラ１０は、静止画撮影機能と動画撮影機能とを備えるとともに、動画撮影においては、各フレームレート「６０ｆ／ｓ」、「１２０ｆ／ｓ」、「２４０ｆ／ｓ」、「３６０ｆ／ｓ」等で撮影を行う機能を有するものである。すなわち、このデジタルカメラ１０は、レンズブロック１１を備えている。このレンズブロック１１には、ズームレンズ、フォーカスレンズ等の光学系、及び光学系を駆動するための駆動機構が含まれており、前記光学系は、駆動機構に設けられているモーター１２によって光軸方向に駆動される。
【００２３】
デジタルカメラ１０全体を制御するＣＰＵ１３には、バス１４及びタイミング発生器（ＴＧ：Timing Generator）１５を介してモータードライバ１６が接続されており、モータードライバ１６は、ＣＰＵ１３の命令に従いタイミング発生器１５が発生するタイミング信号に基づき、モーター１２を駆動する。なお、ストロボ１７もタイミング発生器１５が発生するタイミング信号により駆動される。
【００２４】
また、このデジタルカメラ１０は撮像素子としてＣＣＤ１８を有している。ＣＣＤ１８は、レンズブロック１１の光軸上に配置されており、被写体は、レンズブロック１１によってＣＣＤ１８の受光面に結像される。ＣＣＤ１８は、ＣＰＵ１３の命令に従いタイミング発生器１５が生成するタイミング信号に基づき動作する垂直及び水平ドライバ１９によって駆動され、被写体の光学像に応じたアナログの撮像信号をユニット回路２０に出力する。ユニット回路２０は、ＣＣＤ１８の出力信号に含まれるノイズを相関二重サンプリングによって除去するＣＤＳ回路や、ノイズが除去された撮像信号をデジタル信号に変換するＡ／Ｄ変換器等から構成され、デジタルに変換した撮像信号を画像処理部２１へ出力する。
【００２５】
画像処理部２１は、入力した撮像信号に対しペデスタルクランプ等の処理を施し、それを輝度（Ｙ）信号及び色差（ＵＶ）信号に変換するとともに、オートホワイトバランス、輪郭強調、画素補間などの画品質向上のためのデジタル信号処理を行う。画像処理部２１で変換されたＹＵＶデータは順次ＳＤＲＡＭ２２に格納されるとともに、ＲＥＣスルー・モードでは１フレーム分のデータ（画像データ）が蓄積される毎にビデオ信号に変換され、バックライト（ＢＬ）２４を備える液晶モニタ（ＬＣＤ）２３へ送られてスルー画像として画面表示される。
【００２６】
そして、静止画撮影モードにおいては、シャッターキー操作をトリガとして、ＣＰＵ１３は、ＣＣＤ１８、垂直及び水平ドライバ１９、ユニット回路２０、及び画像処理部２１に対してスルー画撮影モード（ＲＥＣスルー・モード）から静止画撮影モードへの切り替えを指示し、この静止画撮影モードによる撮影処理により得られ、ＳＤＲＡＭ２２に一時記憶された画像データは、ＣＰＵ１３により圧縮され、最終的には所定のフォーマットの静止画ファイルとして外部メモリ２５に記録される。また、動画撮影モードにおいては、１回目のシャッターキーと２回目のシャッターキー操作との間に、ＳＤＲＡＭ２２に順次記憶される複数の画像データがＣＰＵ１３により順次圧縮され、動画ファイルとして外部メモリ２５に記録される。この外部メモリ２５に記録された静止画ファイル及び動画ファイルは、ＰＬＡＹ・モードにおいてユーザーの選択操作に応じてＣＰＵ１３に読み出されるとともに伸張され、ＹＵＶデータとしてＳＤＲＡＭ２２に展開された後、液晶モニタ２３に表示される。
【００２７】
フラッシュメモリ２６には、ＣＰＵ１３に前記各部を制御させるための各種のプログラム、例えばＡＥ、ＡＦ、ＡＷＢ制御用のプログラムや、ＣＰＵ１３を本発明における制御手段、表示制御手段、選択手段、設定手段として機能させるためのプログラム等の各種のプログラムが格納されている。
【００２８】
また、デジタルカメラ１０は、電源スイッチ、モード選択キー、シャッターキー、ズームキー、「＋」キーと「−」キー、ＭＥＮＵキー等の複数の操作キー及びスイッチを含むキー入力部２７、ニッケル水素電池等の充電可能なバッテリー２８、このバッテリー２８の電力を各部に供給するための電源制御回路２９、及びこれらを制御するマイコン３０を有している。マイコン３０は、キー入力部２７における前記操作キーの操作の有無を定常的にスキャンしており、ユーザーによっていずれかの操作キーが操作されると、その操作内容に応じた操作信号をＣＰＵ１３へ送る。
【００２９】
また、このデジタルカメラ１０は、前記動画撮影モードにおいて、周囲音を記録する録音機能を備えており、ＣＰＵ１３には、音声処理回路を有する音声チップ３２を介して、スピーカ（ＳＰ）３３と、マイクロホン（ＭＩＣ）３４とが接続されている。音声チップ３２は、動画撮影モード時には、マイクロホン３４から入力された音声波形を処理して、音声波形データをＣＰＵ１３に入力する。そして、ＣＰＵ１３は、動画撮影モードにおいて１回目と２回目のシャッターキー操作間に、音声チップ３２から入力された音声波形データを圧縮し、この圧縮周囲音データと圧縮動画データとを含む音声付き動画ファイルを生成して外部メモリ２５に記録する。この外部メモリ２５に記録された音声付き動画ファイルは、ＰＬＡＹ・モードにおいて動画データが再生される際に、周囲音データが音声チップ３２で音声波形に変換されてスピーカ３３により再生される。
【００３０】
前記フラッシュメモリ２６には、前記プログラム等とともに、図２に示す第１動画見本データテーブル２６１と、図３に示す第２動画見本データテーブル２６２とを含む第１から第Ｎまでの複数のデータテーブルが記憶されている。これら各テーブル２６１、２６２等には、「見本動画像データ」と「説明情報」とが記憶されているとともに、各「見本動画像データ」に対応して、「撮影・再生条件」「その他の撮影条件／補正条件」が記憶されている。
【００３１】
「見本動画像データ」としては、各々異なる被写体を有するシーンを異なる画角で撮影した動画像Ａ、Ｂ、Ｃが記憶されている。動画像Ａは人の歩行シーンを撮影した「人の歩行画像」であり、動画像Ｂは車の走行シーンを撮影した「車の走行画像」であり、動画像Ｃは物体の落下シーンを撮影した「物体の落下画像」であり、これら動画像が所定のコマ数で記憶されている。また、「撮影・再生条件」としては、「撮影フレームレート（ｆｐｓ（frame/second））」、「再生フレームレート（ｆｐｓ）」「画像サイズ」が記憶されており、「その他の撮影条件／補正条件」としては、「ストロボ」、「ホワイトバランス」、「ＩＳＯ感度、測光方式」、「ＡＦエリア」、「フィルタ」、「色強調」、「彩度」、「シャープネス」等が記憶されている。
【００３２】
すなわち、本実施の形態においては、撮影条件のみならず再生条件も動画見本データテーブルに記憶されていることから、動画見本データテーブルに記憶されたデータのみにより、後述する撮影フレームレートの設定のみならず、見本動画像の再生処理も行うことができる。
【００３３】
ここで、第１動画見本データテーブル２６１に記憶されている各動画像Ａ〜Ｃは、全て撮影フレームレート「３６０ｆｐｓ」で撮影した動画データである。よって、撮影フレームレートとして「３６０ｆｐｓ」が記憶されているとともに、「説明情報」として「高速撮影を行います。落下する物体や、ゴルフスィングを撮影する場合に適します。」が記憶されている。
【００３４】
また、第２動画見本データテーブル２６２に記憶されている各動画像Ａ〜Ｃは、第１動画見本データテーブル２６１に記憶されている各動画像Ａ〜Ｃと同一の被写体を撮影したものである。但し、撮影フレームレートは異なり、第２動画見本データテーブル２６２に記憶されている各動画像Ａ〜Ｃは、全て撮影フレームレート「２４０ｆｐｓ」で撮影した動画データである。よって、撮影フレームレートとして「２４０ｆｐｓ」が記憶されているとともに、「説明情報」として「中速撮影を行います。走行する車を撮影する場合に適します。」が記憶されている。
【００３５】
なお、図示しない他の動画見本データテーブルも同様であって、各動画像Ａ〜Ｃと同一の被写体を全て同一の撮影フレームレートで、かつ、他の動画見本データテーブルとは異なるフレームレートで撮影した動画データと説明情報とが記憶されている。また、「再生フレームレート（ｆｐｓ）」として、全て「６０ｐｆｓ」が記憶されている。
【００３６】
以上の構成に係る本実施の形態において、ユーザが動画撮影モードを設定すると、ＣＰＵ１３は前記フラッシュメモリ２６に格納されているプログラムに基づき、図４のフローチャートに示す処理を実行する。先ず、ユーザによるキー入力部２７での操作によりムービーベストショットモードが設定されたか否かを判断し（ステップＳ１０１）、設定されていない場合には、通常動画撮影処理に移行する（ステップＳ１０２）。
【００３７】
ユーザによりムービーベストショットモードが設定された場合には、初期画面表示処理を実行する（ステップＳ１０３）。このステップＳ１０３での処理により、図６（Ａ）に示すように、液晶モニタ２３に、第１〜第３画像表示領域２３１〜２３３と、説明表示領域２３４と、「選択」「決定」「戻る」の各ボタン表示２３５〜２３７とからなる初期画面を表示する。
【００３８】
次に、ユーザによりムービーベストショットモードにおけるムービー撮影モード（動画撮影モード）と合成画像撮影モードのいずれが設定されているかを判断する（ステップＳ１０４）。ムービー撮影モードが設定されている場合には、フラッシュメモリ２６から前記第１動画見本データテーブル２６１を読み出す（ステップＳ１０５）。そして、この読み出した第１動画見本データテーブル２６１に記憶されている説明情報を説明表示領域２３４に表示させる（ステップＳ１０６）。このステップＳ１０６での処理により、図６（Ｂ）に示すように、説明表示領域２３４には、「高速撮影を行います。落下する物体や、ゴルフスィングを撮影する場合に適します。」なる説明情報が表示されることとなる。
【００３９】
引き続き、第１動画見本データテーブル２６１に記憶されている見本動画像データＡ，Ｂ，Ｃを同時に再生して、第１〜第３画像表示領域２３１〜２３３内に表示させる（ステップＳ１０７）。このステップＳ１０７での処理により、図６（Ｂ）に示すように、第１画像表示領域２３１には「人の歩行画像」である動画像Ａが、第２画像表示領域２３２には「車の歩行画像」である動画像Ｂが、第３画像表示領域２３３には「物体の落下画像」である動画像Ｃが各々表示されることとなる。つまり、第１画像表示領域２３１には、他の画像表示領域に表示される被写体と比較して、表示フレーム内（表示画面内）を低速に移動する被写体が表示され、第３画像表示領域２３３には、他の画像表示領域に表示される被写体と比較して、表示フレーム内を高速に移動する被写体が表示され、第２画像表示領域２３３には、表示フレーム内をこれらの中間速度で移動する被写体が表示される。
【００４０】
このとき、動画像Ａ、Ｂ、Ｃの再生フレームレートは、第１動画見本データテーブル２６１に記憶されているように、全て同一の６０ｆｐｓである。一方、動画像Ａ、Ｂ、Ｃの撮影フレームレートは全て同一の３６０ｆｐｓであることから、各動画像Ａ、Ｂ、Ｃは全て１／６倍速でスロー再生される。つまり、第１画像表示領域２３１には、他の画像表示領域に表示される被写体と比較して、表示フレーム内（表示画面内）を低速に移動する状態で被写体が表示され、第３画像表示領域２３３には、他の画像表示領域に表示される被写体と比較して、表示フレーム内を高速に移動する状態で被写体が表示され、第２画像表示領域２３３には、表示フレーム内をこれらの中間速度で移動する状態で被写体が表示されることとなる。
【００４１】
しかし、動画像Ａ、Ｂ、Ｃの被写体は異なり、動画像Ａにあっては「人の歩行画像」であり、動画像Ｂにあっては「車の歩行画像」であり、動画像Ｃにあっては「物体の落下画像」である。したがって、これらスロー再生された複数種の被写体の動きと、ユーザがこれから撮影しようとする所望の被写体の動きとの近似性を考慮することができ、これにより、当該所望の被写体を再生されている動画像と同一のフレームレートで撮影することが適切であるか否かを容易に判断することができる。
【００４２】
また、動きのある被写体の移動速度は、例えば表示画面内での移動速度としてのｄｏｔ／ｓといった特別な規格で表現する必要があり、この値は、同じ動きをする撮影対象であっても、撮影時のズーム倍率や、当該デジタルカメラと動きのある被写体との相対距離によって異なってしまう。しかし、動画像Ａ，Ｂ，Ｃを視認することにより、ユーザは、撮影時のフレームレートと撮影画角や構図との関係を直感的に認識することもできるようになる。
【００４３】
しかも、説明情報も表示されることから、これを参考にすることにより、前記所望の被写体を再生されている動画像と同一のフレームレートで撮影することが適切であるか否かを容易に判断することができる。つまり、所望の被写体を撮影した動画像を、例えば１／６倍速でスロー再生した場合に、表示フレーム内を移動する所望の被写体の移動速度が適切になるか否かを事前に容易に判断することができる。
【００４４】
そして、ユーザが所望の被写体の動きとの関係において、再生されている動画像と同一のフレームレートで撮影することは適切でないと判断した場合には、キー入力部２７にて「−」キー又は「＋」キーを操作して「選択」を指示する。これにより、ステップＳ１０８の判断がＹＥＳとなり、このステップＳ１０８からステップＳ１０９に進み、他の動画見本データテーブルを読み出す。しかる後に、前述したステップＳ１０６からの処理を繰り返す。
【００４５】
したがって、ステップＳ１０９の処理で第２動画見本データテーブル２６２が読み出されたとすると、ステップＳ１０６での処理により、図６（Ｃ）に示すように、説明表示領域２３４には、「中速撮影を行います。走行する車を撮影する場合に適します。」なる説明情報が表示される。また、ステップＳ１０６での処理により、図６（Ｃ）に示すように、第１画像表示領域２３１には「人の歩行画像」である動画像Ａが、第２画像表示領域２３２には「車の歩行画像」である動画像Ｂが、第３画像表示領域２３３には「物体の落下画像」である動画像Ｃが各々表示されることとなる。
【００４６】
このとき、動画像Ａ、Ｂ、Ｃの再生フレームレートは、第２動画見本データテーブル２６１に記憶されているように、全て同一の６０ｆｐｓである。一方、動画像Ａ、Ｂ、Ｃの撮影フレームレートは全て同一の２４０ｆｐｓであることから、各動画像Ａ、Ｂ、Ｃは全て１／４倍速でスロー再生される。
【００４７】
しかし、前述のように動画像Ａ、Ｂ、Ｃの被写体は異なることから、これらスロー再生された複数種の被写体の動きと、ユーザがこれから撮影しようとする所望の被写体の動きとの近似性や説明情報を考慮することにより、当該所望の被写体を再生されている動画像と同一のフレームレートで撮影することが適切であるか否かを判断することができる。つまり、所望の被写体を撮影した動画像を、例えば１／４倍速でスロー再生した場合に、表示フレーム内を移動する所望の被写体の移動速度が適切になるか否かを事前に容易に判断することができる。
【００４８】
そして、本実施の形態においては、ユーザは、動画見本データテーブルに基づいて切り換え表示される各表示画面を見比べることにより、撮影により得ようとする動画像を再生した場合に、それがどのような動画像となるかを、予め、時間的分解能を等しくした状態での被写体の動きの相違として、明瞭に認識することができる。
【００４９】
一方、フローチャートにおいて、ステップＳ１０８で「選択」が指示されないと判断された場合には、シャッターキーの押下による「決定」が指示されたか否かを判断する（ステップＳ１０９）。「決定」が指示されなかった場合には、ＭＥＮＵキーの操作による「戻る」が指示されたか否かを判断する（ステップＳ１１１）。「戻る」が指示されない場合には、ステップＳ１０８からの処理を繰り返し、指示された場合には、このムービーベストショットモードから他のモード処理に移行する（ステップＳ１１２）。
【００５０】
そして、ユーザが所望の被写体の動きとの関係において、再生されている動画像と同一のフレームレートで撮影することが適切であると判断した場合には、シャッターキーを押下して「決定」を指示する。これより、ステップＳ１１０の判断がＹＥＳとなり、このステップＳ１１０からステップＳ１１３に進み、撮影条件を設定する。
【００５１】
すなわち、ＣＰＵ１３は、ステップＳ１０５又はステップＳ１０９で読み出された動画見本テーブルであって、「決定」が指示された時点で動画が表示されていた動画見本テーブルに記憶されている撮影条件、その他の撮影条件／補正条件を設定して、これらの撮影条件等に基づき当該デジタルカメラ１０の対応する各部を制御する。
【００５２】
引き続き、ＣＣＤ１８から所定の標準フレームレート、例えば６０ｆｐｓで出力される画像データに基づき、液晶モニタ２３にスルー画像を表示する処理を開始する（ステップＳ１１４）。そして、１回目のシャッター押下があるまで待機する（ステップＳ１１５）。この間ユーザは、前記視認した見本動画像を参考にしてデジタルカメラ１０の画角調整を行い、しかる後に動画撮影を開始すべくシャッターキーを押下する。これにより、１回目のシャッター押下があると（ステップＳ１１５：ＹＥＳ）、前記標準フレームレートを前記ステップＳ１１３で設定された撮影条件における撮影フレームレートに変更する（ステップＳ１１６）。
【００５３】
つまり、例えば第１動画見本データテーブル２６１が読み出されている状態で「決定」が指示された場合には、撮影条件の撮影フレームレートは、「３６０ｆｐｓ」であることから、標準撮影フレームレート「６０ｆｐｓ」から「３６０ｆｐｓ」に変更する。これにより、ＣＣＤ１８からは「３６０ｆｐｓ」のフレームレートでフレーム画像データが出力され、ステップＳ１１６の撮像・記録処理において、この撮影フレームレートで出力されたフレーム画像データをＳＤＲＡＭ２２に順次記録する（ステップＳ１１７）。
【００５４】
なお、本実施の形態においては、スルー画像を一旦標準フレームレートで取り込んで表示した後、シャッター押下があった時点で設定されたフレームレート変更するようにしたが、シャッター押下を待ってフレームレート変更するのではなく、スルー画像を表示する時点から設定されたフレームレートで画像の取り込みを行うようにしてもよい。
【００５５】
次に、２回目のシャッター押下があったか否かを判断し（ステップＳ１１８）、２回目のシャッター押下があるまで、ステップＳ１１７の処理を繰り返し実行する。したがって、前述のように「３６０ｆｐｓ」が設定されたとすると、このフレームレートで順次取り込まれる複数のフレーム画像データが順次ＳＤＲＡＭ２２に記録されていく。
【００５６】
そして、ユーザが動画撮影を終了すべく、２回目のシャッター押下を行うと、ステップＳ１１８の判断がＹＥＳとなる。したがって、ステップＳ１１８からステップＳ１１９に進み、再度ユーザによりムービーベストショットモードにおけるムービー撮影モードと合成画像撮影モードのいずれが設定されているかを判断する（ステップＳ１１９）。ムービー撮影モードが設定されている場合には、ＳＤＲＡＭ２２に記録された複数のフレーム画像データからなる動画ファイルを生成し、ファイル名を付して外部メモリ２５に保存する。
【００５７】
したがって、ユーザは、「決定」操作を行った後、動画撮影開始と終了のシャッター操作を行うのみにより、簡単にユーザが所望する適切なフレームレートでの動画撮影を完了することができる。
【００５８】
なお、このとき、動画ファイルのヘッダー情報として、各動画見本データテーブルに再生条件として記憶されていた「再生フレームレート」を書き込むようにしてもよい。これにより、ユーザが撮影前に確認して選択した見本動画と同一の再生フレームレートで撮影した動画を再生することができる。
【００５９】
他方、ステップＳ１１９での判断の結果、合成画像記録モードが設定されている場合には、ＳＤＲＡＭ２２に記録された複数のフレーム画像データを用いて合成画像を生成する（ステップＳ１２１）。図７〜図１０は、このステップＳ１２１において生成する合成画像例を示す図である。すなわち、図７に示す合成画像ＰＡは、ＳＤＲＡＭ２２に順次記録されたフレーム画像Ｐ１、Ｐ２、Ｐ３・・・を所定間隔で順次配置したものである。図８に示す合成画像ＰＢは、例えば全てのフレーム画像において時間的に中央のフレーム画像を代表画像Ｐ１０として、この代表画像Ｐ１０の周囲に時系列に従って他のフレーム画像を配置したものである。
【００６０】
図９に示す合成画像ＰＣを生成するに際しては、（Ａ）に示すように、各フレーム画像Ｐ１、Ｐ２、Ｐ３・・・の中央領域をスライスして切り出す。この切り出し処理により、（Ｂ）に示すように、各フレーム画像Ｐ１、Ｐ２、Ｐ３・・・の中央部をスライスして切り出したスライス画像ＰＳ１、ＰＳ２、ＰＳ３・・・が生成される。引き続き、スライス画像を、所定間隔ずつずらして重ねて合成する。これにより、（Ｃ）に示すように、スライス画像ＰＳ１、ＰＳ２、ＰＳ３・・・を所定間隔ずつずらして重ねて合成されたゴルフスィングの合成画像ＰＣが生成される。図１０に示す合成画像ＰＤも、図９に示した合成画像ＰＣと同様に、各フレーム画像の中央部をスライスして切り出し、切り出したスライス画像を、所定間隔ずつずらして重ねて合成したものである。
【００６１】
そして、ステップＳ１２１で以上に例示した合成画像を生成したならば、ステップＳ１２２でこれを外部メモリ２５に保存して、処理を終了する。したがって、ユーザは、「決定」操作を行った後、動画撮影開始と終了のシャッター操作を行うのみにより、簡単にユーザが所望する適切なフレームレートで動画撮影した複数のフレーム画像からなる合成画像を記録することができる。
ここで、本実施の形態においては、上述したように動画像としての各フレーム画像に基づいて合成画像を生成するが、その際に、動画像としての各フレーム画像を間引くことなく合成画像を生成可能とすることが好ましい。つまり、上述したように、ユーザが所望する被写体に応じて撮影フレームレートを選択することにより、合成画像を生成する際に必要となるフレーム画像の数が必要最小限となるように構成すれば、各フレーム画像を一時記憶するために必要なメモリ容量を小さくすることができる。
なお、当該ムービーベストショットモードにおいて、合成画像記録モードが設定されていた場合には、前述した見本動画像に代えて見本合成画像を表示させる構成としてもよい。
【００６２】
以下詳述すると、前述したステップＳ１０４での判断の結果、合成画像記録モードが設定されている場合には、このステップＳ１０４から図５のステップＳ１２３に進む。そして、フラッシュメモリ２６から第１合成画像見本データテーブルを読み出す（ステップＳ１２３）。ここで、第１合成画像見本データテーブルとは、図２及び図３に示した動画像Ａ、Ｂ、Ｃに代えて図７〜図１０に示したような、合成画像ＰＡ〜ＰＤを見本合成画像として記憶させたものである。なお、合成画像見本データテーブルには、再生フレームレートは記憶されていないが、動画像としての各フレーム画像に基づいて合成画像を生成するための合成画像生成条件が対応付けられている。また、便宜上、合成画像には符号Ａ、Ｂ、Ｃを付して以下説明する。
【００６３】
次に、この読み出した第１合成画像見本データテーブルに記憶されている説明情報を説明表示領域２３４に表示させる（ステップＳ１２４）。このステップＳ１２４での処理により、図６（Ｂ）に示したように、説明表示領域２３４には、「高速撮影を行います。落下する物体や、ゴルフスィングを撮影する場合に適します。」なる説明情報が表示されることとなる。
【００６４】
引き続き、第１合成見本データテーブルに記憶されている合成画像データＡ，Ｂ，Ｃを同時に再生して、第１〜第３画像表示領域２３１〜２３３内に表示させる（ステップＳ１２５）。このステップＳ１２５での処理により、第１画像表示領域２３１には「人の歩行画像」の合成画像が、第２画像表示領域２３２には「車の歩行画像」の合成画像が、第３画像表示領域２３３には「物体の落下画像」の合成画像が各々表示されることとなる。つまり、第１画像表示領域２３１には、他の画像表示領域に表示される被写体と比較して、表示フレーム内（表示画面内）を低速に移動する被写体の合成画像が表示され、第３画像表示領域２３３には、他の画像表示領域に表示される被写体と比較して、表示フレーム内を高速に移動する被写体の合成画像が表示され、第２画像表示領域２３３には、表示フレーム内をこれらの中間速度で移動する被写体の合成画像が表示される。
【００６５】
また、合成画像Ａ、Ｂ、Ｃの被写体は異なり、合成画像Ａにあっては「人の歩行画像」であり、合成画像Ｂにあっては「車の歩行画像」であり、合成画像Ｃにあっては「物体の落下画像」である。したがって、これら合成画像中における複数種の被写体の動きと、ユーザがこれから撮影しようとする所望の被写体の動きとの近似性を考慮することができ、これにより、当該所望の被写体を、表示されている合成画像と同一のフレームレートで撮影することが適切であるか否かを容易に判断することができる。つまり、合成画像として同時に表示される各フレーム画像における移動被写体間の変動量の違いを、表示フレーム（表示画面）内での移動速度がそれぞれ異なる見本被写体間で比較することができ、これにより、当該所望の被写体を再生されている合成画像と同一のフレームレートで撮影することが適切であるか否かを容易に判断することができる。
【００６６】
また、動きのある被写体の移動速度は、例えば表示画面内での移動速度としてのｄｏｔ／ｓといった特別な規格で表現する必要があり、この値は、同じ動きをする撮影対象であっても、撮影時のズーム倍率や、当該デジタルカメラと動きのある被写体との相対距離によって異なってしまう。しかし、合成画像Ａ，Ｂ，Ｃを視認することにより、ユーザは、撮影時のフレームレートと撮影画角や構図との関係を直感的に認識することもできるようになる。
【００６７】
しかも、説明情報も表示されることから、これを参考にすることにより、前記所望の被写体を、表示されている合成画像と同一のフレームレートで撮影することが適切であるか否かを容易に判断することができる。つまり、所望の被写体を撮影した動画像に基づいて合成画像を生成した場合に、合成画像内において移動する所望の被写体の移動間隔が適切になるか否かを事前に容易に判断することができる。
【００６８】
そして、ユーザが所望の被写体の動きとの関係において、表示されている合成画像と同一のフレームレートで撮影することは適切でないと判断した場合には、キー入力部２７にて「−」キー又は「＋」キーを操作して「選択」を指示する。これにより、ステップＳ１２６の判断がＹＥＳとなり、このステップＳ１２６からステップＳ１２７に進み、他の合成画像見本データテーブルを読み出す。しかる後に、前述したステップＳ１２４からの処理を繰り返す。
【００６９】
したがって、ステップＳ１２４の処理で第２合成見本データテーブルが読み出されたとすると、ステップＳ１２４での処理により、図６（Ｃ）に示すように、説明表示領域２３４には、「中速撮影を行います。走行する車を撮影する場合に適します。」なる説明情報が表示される。また、ステップＳ１２５での処理により、第１画像表示領域２３１には「人の歩行画像」の合成画像Ａが、第２画像表示領域２３２には「車の歩行画像」の合成画像Ｂが、第３画像表示領域２３３には「物体の落下画像」の合成画像Ｃが各々表示されることとなる。
【００７０】
このとき、前述のように合成画像Ａ、Ｂ、Ｃの被写体は異なることから、表示された合成画像における複数種の被写体の動きと、ユーザがこれから撮影しようとする所望の被写体の動きとの近似性や説明情報を考慮することにより、当該所望の被写体を、表示されている合成画像と同一のフレームレートで撮影することが適切であるか否かを判断することができる。つまり、所望の被写体を撮影した合成画像を生成した場合に、合成画像内において移動する所望の被写体の移動間隔が適切になるか否かを事前に容易に判断することができる。
【００７１】
そして、本実施の形態においては、ユーザは、合成見本データテーブルに基づいて切り換え表示される各表示画面を見比べることにより、撮影により得た動画像に基づいて合成画像を生成しようとした場合に、それがどのような合成画像となるかを、明瞭に認識する
【００７２】
また、ステップＳ１２６で「選択」が指示されないと判断された場合には、シャッターキーの押下による「決定」が指示されたか否かを判断する（ステップＳ１２８）。「決定」が指示されなかった場合には、ＭＥＮＵキーの操作による「戻る」が指示されたか否かを判断する（ステップＳ１２９）。「戻る」が指示されない場合には、ステップＳ１２６からの処理を繰り返し、指示された場合には、このムービーベストショットモードから他のモード処理に移行する（ステップＳ１３０）。
【００７３】
そして、ユーザが所望の被写体の動きとの関係において、表示されている合成画像と同一のフレームレートで撮影することが適切であると判断した場合には、シャッターキーを押下して「決定」を指示する。これより、ステップＳ１２８の判断がＹＥＳとなり、このステップＳ１２８から前述した図４のステップＳ１１３に進む。
【００７４】
なお、本実施の形態においては、動画撮影モードに対応させて、各テーブルに再生フレームレート（６０ｆｐｓ）よりも高いフレームレートで撮影した見本動画像データを記憶させておくようにしたが、つまり、再生時にスロー再生（スローモーションでの再生）となる動画撮影モードについて説明したが、再生フレームレートと同一又は再生フレームレート以下のフレームレートで撮影した動画像を見本動画像データとして記憶させておくようにしてもよい。再生フレームレート以下のフレームレートで撮影した動画像を見本動画像データとして記憶させておいた場合には、見本動画像は前述のスロー再生とは逆にクイック再生されることとなる。
【００７５】
また、見本合成画像を再生表示する際に、第１〜第２表示領域２３１〜２３３の表示面積が小さくて、見本合成画像を鮮明に表示できない場合には、表示領域を単一にして表示面積を拡大させ、この拡大させた表示領域に見本合成画像を切り換え表示するようにすればよい。
【００７６】
（第２の実施の形態）
図１１は、本発明の第２の実施の形態において、フラッシュメモリ２６に前記プログラム等とともに記憶されている動画見本データテーブル２６３を示す図である。この動画見本データテーブル２６３には、複数の「見本動画像データ」が記憶されているとともに、各「見本動画像データ」に対応して、「説明情報」「撮影・再生条件」「その他の撮影条件／補正条件」が記憶されている。
【００７７】
「見本動画像データ」としては、同一の被写体を有する同一のシーン（例えば、「車の走行画像」）を各々異なる撮影フレームレートで撮影した動画像Ａ、Ｂ、Ｃが記憶されている。すなわち、動画像Ａは、「車の走行画像」を撮影フレームレート「３６０ｆｐｓ」で撮影した「高速撮影画像」であり、「説明情報」として「高速撮影を行います。落下する物体や、ゴルフスィングを撮影する場合に適します。」が記憶されている。
【００７８】
動画像Ｂは、動画像Ａと同一の「車の走行画像」を撮影フレームレート「２４０ｆｐｓ」で撮影した「中速撮影画像」であり、「説明情報」として「中速撮影を行います。走行する車を撮影する場合に適します。」が記憶されている。また、動画像Ｃは、動画像Ａ及びＢと同一の「車の走行画像」を撮影フレームレート「１２０ｆｐｓ」で撮影した「低速撮影画像」であり、「説明情報」として「低速撮影を行います。歩行する人を撮影する場合に適します。」が記憶されている。
【００７９】
また、「撮影・再生条件」としては、「撮影フレームレート（ｆｐｓ）」、「再生フレームレート（ｆｐｓ）」「画像サイズ」が記憶されており、「その他の撮影条件／補正条件」としては、「ストロボ」、「ホワイトバランス」、「ＩＳＯ感度、測光方式」、「ＡＦエリア」、「フィルタ」、「色強調」、「彩度」、「シャープネス」等が記憶されている。
【００８０】
ここで、動画見本データテーブル２６３に記憶されている各動画像Ａ〜Ｃは、前述のように同一のシーンを各々異なる撮影フレームレートで撮影した動画データである。よって、「撮影フレームレート（ｆｐｓ）」として、動画像Ａに対応して「３６０ｆｐｓ」が、動画像Ｂに対応して「２４０ｆｐｓ」が、動画像Ｃに対応して「１２０ｆｐｓ」が各々記憶されている。
【００８１】
以上の構成に係る本実施の形態において、ユーザが動画撮影モードを設定すると、ＣＰＵ１３は前記フラッシュメモリ２６に格納されているプログラムに基づき、図１２のフローチャートに示す処理を実行する。先ず、ユーザによるキー入力部２７での操作によりムービーベストショットモードが設定されたか否かを判断し（ステップＳ２０１）、設定されていな場合には、通常動画撮影処理に移行する（ステップＳ２０２）。
【００８２】
ユーザによりムービーベストショットモードが設定された場合には、初期画面表示処理を実行する（ステップＳ２０３）。このステップＳ２０３での処理により、前記図６（Ａ）に示すように、液晶モニタ２３に、第１〜第３画像表示領域２３１〜２３３と、説明表示領域２３４と、「選択」「決定」「戻る」の各ボタン表示２３５〜２３７とからなる初期画面を表示する。
【００８３】
次に、フラッシュメモリ２６から前記動画見本データテーブル２６３を読み出す（ステップＳ２０４）。そして、この読み出した動画見本データテーブル２６３に記憶されている見本動画像データＡ，Ｂ，Ｃを同時に再生して、第１〜第３画像表示領域２３１〜２３３内に表示させるとともに、第１画像表示領域２３１にこれを囲繞する枠を表示させる（ステップＳ２０５）。
【００８４】
このステップＳ２０５での処理により、図１３（Ａ）に示すように、第１画像表示領域２３１には、「車の走行画像」であって撮影フレームレート「３６０ｆｐｓ」で撮影された高速撮影画像である動画像Ａが、第２画像表示領域２３２には、同一の「車の走行画像」であって撮影フレームレート「２４０ｆｐｓ」で撮影された中速撮影画像である動画像Ｂが、第３画像表示領域２３３には、同一の「車の走行画像」であって撮影フレームレート「１２０ｆｐｓ」で撮影された中速撮影画像である動画像Ｂが各々表示される。また、第１画像表示領域２３１を囲繞する枠２３８が表示される。
【００８５】
このとき、動画像Ａ、Ｂ、Ｃの再生フレームレートは、動画見本データテーブル２６３に記憶されているように、全て同一の６０ｆｐｓである。一方、動画像Ａ、Ｂ、Ｃの撮影フレームレートは「３６０ｆｐｓ」、「２４０ｆｐｓ」、「１２０ｆｐｓ」と全て異なる。したがって、動画像Ａにあっては１／６倍速でスロー再生され、動画像Ｂにあっては１／４倍速でスロー再生され、動画像Ｃにあっては１／２倍速でスロー再生される。しかも、動画像Ａ、Ｂ、Ｃの被写体は全て同一であることから、ユーザは異なる撮影フレームレートで撮影した場合の再生時における相違を明瞭に認識することができる。つまり、ユーザは、撮影により得ようとする動画像を再生した場合に、それがどのような動画像となるかを、予め、時間的分解能を等しくした状態での被写体の動きの相違として、同一の表示画面で明瞭に認識することができる。
【００８６】
次に、枠２３８により囲繞されている見本動画像に対応する説明情報を説明表示領域２３４に表示させる（ステップＳ２０６）。したがって、図１３（Ａ）に示すように、このとき動画像Ａに枠２３８が表示されている状態にあるとすると、説明表示領域２３４には、「高速撮影を行います。落下する物体や、ゴルフスィングを撮影する場合に適します。」なる説明情報が表示されることとなる。
【００８７】
そして、ユーザが所望の被写体の動きとの関係において、枠２３８が付加されている動画像と同一のフレームレートで撮影することは適切でないと判断した場合には、キー入力部２７にて「−」キー又は「＋」キーを操作して「選択」を指示する。これにより、ステップＳ２０７の判断がＹＥＳとなり、このステップＳ２０７からステップＳ２０８に進み、枠２３８を移動表示させる（ステップＳ２０８）。つまり、枠２３８が第１画像表示領域２３１にあったときには、当該枠２３８を第２画像表示領域２３１へ移動表示させ、枠２３８が第２画像表示領域２３２にあったときには、当該枠２３８を第３画像表示領域２３３へ移動表示させ、枠２３８が第３画像表示領域２３３にあったときには、当該枠２３８を第１画像表示領域２３１へ移動表示させる。そして、しかる後に、前述したステップＳ２０６の処理を繰り返す。
【００８８】
したがって、図１３（Ｂ）に示すように、ステップＳ２０８の処理で枠２３８が動画像Ｂ上に移動表示されたとすると、ステップＳ２０６での処理により、説明表示領域２３４には、「中速撮影を行います。走行する車を撮影する場合に適します。」なる説明情報が表示される。
【００８９】
また、ステップＳ２０７で「選択」が指示されないと判断された場合には、シャッターキーの押下による「決定」が指示されたか否かを判断する（ステップＳ２０９）。「決定」が指示されなかった場合には、ＭＥＮＵキーの操作による「戻る」が指示されたか否かを判断する（ステップＳ２１０）。「戻る」が指示されない場合には、ステップＳ２０７からの処理を繰り返し、指示された場合には、このムービーベストショットモードから他のモード処理に移行する（ステップＳ２１１）。
【００９０】
そして、ユーザが所望の被写体の動きとの関係において、枠２３８が表示されている動画像と同一のフレームレートで撮影することが適切であると判断した場合には、シャッターキーを押下して「決定」を指示する。これより、ステップＳ２０９の判断がＹＥＳとなり、このステップＳ２０９からステップＳ２１２に進み、撮影条件を設定する。
【００９１】
すなわち、ＣＰＵ１３は、「決定」が指示された時点で枠２３８が表示されていた見本動画像に対応して動画見本テーブル２６３に記憶されている撮影条件、その他の撮影条件／補正条件を設定して、これらの撮影条件等に基づき当該デジタルカメラ１０の対応する各部を制御する。
【００９２】
引き続き、ＣＣＤ１８から所定の標準フレームレート、例えば６０ｆｐｓで出力される画像データに基づき、液晶モニタ２３にスルー画像を表示する処理を開始する（ステップＳ２１３）。そして、１回目のシャッター押下があるまで待機する（ステップＳ２１４）。１回目のシャッター押下があったならば（ステップＳ２１４：ＹＥＳ）、前記標準フレームレートを前記ステップＳ２１２で設定された撮影条件における撮影フレームレートに変更する（ステップＳ２１５）。
【００９３】
つまり、図１３（Ｂ）に示したように、動画像Ｂに枠３８が表示されている状態で「決定」が指示された場合には、動画像Ｂにおける撮影条件の撮影フレームレートは、「２４０ｆｐｓ」であることから、標準撮影フレームレート「６０ｆｐｓ」から「２４０ｆｐｓ」に変更する。これにより、ＣＣＤ１８からは「２４０ｆｐｓ」のフレームレートでフレーム画像データが出力され、ステップＳ２１６の撮像・記録処理において、この撮影フレームレートで出力されたフレーム画像データをＳＤＲＡＭ２２に順次記録する（ステップＳ２１６）。
【００９４】
なお、本実施の形態においても、スルー画像を一旦標準フレームレートで取り込んで表示した後、シャッター押下があった時点で設定されたフレームレート変更するようにしたが、シャッター押下を待ってフレームレート変更するのではなく、スルー画像を表示する時点から設定されたフレームレートで画像の取り込みを行うようにしてもよい。
【００９５】
次に、２回目のシャッター押下があったか否かを判断し（ステップＳ２１７）、２回目のシャッター押下があるまで、ステップＳ２１６の処理を繰り返し実行する。したがって、前述のように「２４０ｆｐｓ」が設定されたとすると、このフレームレートで順次取り込まれる複数のフレーム画像データが順次ＳＤＲＡＭ２２に記録されていく。
【００９６】
そして、ユーザが動画撮影を終了すべく、２回目のシャッター押下を行うと、ステップＳ２１７の判断がＹＥＳとなる。したがって、ステップＳ２１７からステップＳ２１８に進み、ＳＤＲＡＭ２２に記録された複数のフレーム画像データからなる動画ファイルを生成し、ファイル名を付して外部メモリ２５に保存する。このとき、前記実施の形態で説明したように、動画ファイルのヘッダー情報として、各動画見本データテーブルに再生条件として記憶されていた「再生フレームレート」を書き込むようにしてもよい。これにより、ユーザが撮影前に確認して選択した見本動画と同一の再生フレームレートで撮影した動画を再生することができる。
【００９７】
引き続き、図７〜図１０において説明したように、ＳＤＲＡＭ２２に記録された複数のフレーム画像データを用いて合成画像を生成する（ステップＳ２１９）そして、この生成した合成画像を外部メモリ２５に保存して（ステップＳ２２０）、処理を終了する。
【００９８】
なお、本実施の形態においても、各テーブルに再生フレームレート（６０ｆｐｓ）よりも高いフレームレートで撮影した見本動画像データを記憶させておくようにしたが、再生フレームレートと同一又は再生フレームレート以下のフレームレートで撮影した動画像を見本動画像データとして記憶させておくようにしてもよい。
【００９９】
また、本実施の形態においても、図１１に示したうように、動画像Ａ、Ｂ、Ｃを記憶させておくようにしたが、これら動画像Ａ、Ｂ、Ｃに代えて図７〜図１０に示したような合成画像ＰＡ〜ＰＤであって、同一被写体で異なる撮影フレームレートで撮影された合成画像を見本合成画像として記憶させておくようにしてもよい。この場合、図１２のステップＳ２０５における各見本画像再生処理に代えて、各見本合成画像を再生表示すればよい。このとき、第１〜第２表示領域２３１〜２３３の表示面積が小さくて、見本合成画像を鮮明に表示できない場合には、表示領域を単一にして表示面積を拡大させ、この拡大させた表示領域に見本合成画像を切り換え表示するようにすればよい。
【０１００】
なお、本実施の形態では、見本動画像や見本合成画像における主要被写体が「走行する車」とした場合について説明したが、見本動画像や見本合成画像にする主要被写体を予め複数用意しておき、ユーザが何れかの主要被写体を選択可能に構成してもよい。例えば、見本動画像や見本合成画像における主要被写体として、「歩行する人」、「走行する車」、「落下する物体」などのように、表示フレーム内（表示画面内）の移動速度がそれぞれ異なる主要被写体を複数用意しておき、撮影するシーンに応じて、ユーザが見本動画像や見本合成画像にする主要被写体を任意に選択可能な構成としてもよい。被写体の動きの相違を、より適した被写体を用いて、認識することができる。また、選択可能な主要被写体毎に、これらに対応付けられている「その他の撮影条件／補正条件」が異なるように構成してもよい。例えば、主要被写体が「歩行する人」である場合には、撮影対象が人物であることから、人物を撮影する際に最適な「その他の撮影条件／補正条件」として、例えば肌色強調や、軟調化フィルタなどが施されるような条件を対応付けておくことが好ましい。また、例えば、主要被写体が「走行する車」である場合には、撮影対象が人工物であることから、人工物を撮影する際に最適な「その他の撮影条件／補正条件」として、例えばエッジ強調などが施されるような条件を対応付けておくことが好ましい。更に、合成画像を生成する場合には、それぞれ異なる合成画像生成条件が、対応する見本合成画像に対応付けられていてもよい。
【０１０１】
（その他の実施の形態）
以上の実施の形態において説明したように、再生された見本動画像の選択が「決定」されると、この「決定」された見本動画像に対応する撮影フレームレートが設定されることから、当該デジタルカメラ１０において「３６０ｆｐｓ」や「２４０ｆｐｓ」等の高速フレームレートで動画撮影が行われることとなる。しかし、このように高速フレームレートで動画撮影を行うと、ＣＰＵ１３の処理能力等の当該デジタルカメラ１０が有する能力限界により、高速フレームレートでのフレーム画像の処理や転送に支障を来してしまう場合が生ずる。よって、この場合には、下記（１）（２）（３）の手法を用いることが好適である。
【０１０２】
（１）トリミング
図１４に示すように、フレーム画像Ｐにおいて、水平方向に沿った上側部分Ａ１と下側部分Ａ２とをトリミングし、中央部分Ｂを処理対象とする。また、中央部分Ｂに関しては、フレーム画像Ｐのアスペクト比に応じて最終的には両側をカットする。これにより、元のフレーム画像Ｐよりも遙かに小さい幅Ｗからなり、かつ、アスペクト比は元のフレーム画像Ｐと同様の縮小フレーム画像Ｐ０を生成する。この縮小フレーム画像Ｐ０のサイズは、元のフレーム画像Ｐの１／９となることから、元のフレーム画像Ｐを処理する場合に対して９倍の処理速度が可能となる。よって、高速フレームレートでのフレーム画像の処理や転送に支障を来してしまう不都合を未然に防止することができる。
【０１０３】
（２）画素加算
図１５に示すように、縦方向２画素、横方向２画素の画素加算を行う。したがって、画素加算後のフレーム画像は、元のフレーム画像に対してサイズが１／４となることから、元のフレーム画像を処理する場合に対して４倍の処理速度が可能となる。よって、高速フレームレートでのフレーム画像の処理や転送に支障を来してしまう不都合を未然に防止することができる。
【０１０４】
（３）画素間引き
図１６に示すように、４行からなるＲＧＢデータにおいて第２行及び第３行のＲＧＢデータを間引く。したがって、間引き後のフレーム画像は、元のフレーム画像に対してサイズが１／２となることから、元のフレーム画像を処理する場合に対して２倍の処理速度が可能となる。よって、高速フレームレートでのフレーム画像の処理や転送に支障を来してしまう不都合を未然に防止することができる。
【０１０５】
なお、上述した変形例（１）〜（３）では、選択された撮影フレームレートに応じて、トリミングや、画素加算、画素間引きの程度が変化するため、これによって、得られる画像のサイズや面内解像度も撮影フレームレートに応じて変化することとなる。このため、このような場合には、得られる画像をユーザがよりわかりやすく認識できるように、対応付けられている撮影フレームレートに応じた画像サイズや面内解像度の見本画像を表示することが好ましい。つまり、対応付けられている撮影フレームレートの違いによって発生する画像サイズや面内解像度の違いが比較可能となるように見本画像を表示することが好ましい。
【０１０６】
また、以上においては動画撮影を例にして説明したが連写撮影に関しても同様であり、以上に説明における動画を連写と読み替えればよい。
【図面の簡単な説明】
【０１０７】
【図１】本発明の一実施の形態に係るデジタルカメラの電気的構成を示すブロック図である。
【図２】第１動画見本データテーブルの構成を示す概念図である。
【図３】第２動画見本データテーブルの構成を示す概念図である。
【図４】第１の実施の形態の処理手順を示すフローチャートである。
【図５】図４のフローチャートに続くフローチャートである。
【図６】同実施の形態の表示遷移図である。
【図７】画像合成処理例を示す図である。
【図８】画像合成処理例を示す図である。
【図９】画像合成処理例を示す図である。
【図１０】画像合成処理例を示す図である。
【図１１】動画見本データテーブルの構成を示す概念図である。
【図１２】本発明の第２の実施の形態の処理手順を示すフローチャートである。
【図１３】同実施の形態の表示遷移図である。
【図１４】トリミングの処理概要を示す説明図である。
【図１５】画素加算の処理概要を示す説明図である。
【図１６】画素間引きの処理概要を示す説明図である。
【符号の説明】
【０１０８】
１０    デジタルカメラ
１１    レンズブロック
１２    モーター
１３    ＣＰＵ
１４    バス
１５    タイミング発生器
１６    モータードライバ
１７    ストロボ
１８    ＣＣＤ
１９    水平ドライバ
２０    ユニット回路
２１    画像処理部
２２    ＳＤＲＡＭ
２３    液晶モニタ
２５    外部メモリ
２６    フラッシュメモリ
２７    キー入力部
３０    マイコン
２６１  第１動画見本データテーブル
２６２  第２動画見本データテーブル
２６３  動画見本データテーブル
【図１】
2008099229.tif 000003
【図２】
2008099229.tif 000004
【図３】
2008099229.tif 000005
【図４】
2008099229.tif 000006
【図５】
2008099229.tif 000007
【図６】
2008099229.tif 000008
【図７】
2008099229.tif 000009
【図８】
2008099229.tif 000010
【図９】
2008099229.tif 000011
【図１０】
2008099229.tif 000012
【図１１】
2008099229.tif 000013
【図１２】
2008099229.tif 000014
【図１３】
2008099229.tif 000015
【図１４】
2008099229.tif 000016
【図１５】
2008099229.tif 000017
【図１６】
2008099229.tif 000018
【手続補正書】
【提出日】平成19年8月10日(2007.8.10)
【手続補正１】
【補正対象書類名】特許請求の範囲
【補正対象項目名】全文
【補正方法】変更
【補正の内容】
【特許請求の範囲】
【請求項１】
複数種の撮影フレームレート連続撮影するカメラ装置であって、
見本動画像又は見本合成画像を記憶する記憶手段と、
前記複数種の撮影フレームレートから所定の撮影フレームレートを設定する際に、前記記憶手段から前記見本動画像又は前記見本合成画像を読み出して、前記複数種の撮影フレームレートに応じて再生表示する表示手段と、
この表示手段によって前記複数種の撮影フレームレートに応じて再生表示された見本動画像又は見本合成画像から、所定の撮影フレームレートに応じて再生表示された見本動画像又は見本合成画像を選択する選択手段と、
この選択手段によって選択された見本動画像又は見本合成画像に対応する撮影フレームレートで連続撮影するよう制御する制御手段と、
を備えたことを特徴とするカメラ装置。
【請求項２】
前記記憶手段は、前記見本動画像又は見本合成画像を前記撮影フレームレートに対応させて複数種記憶することを特徴とする請求項１記載のカメラ装置。
【請求項３】
前記記憶手段が見本動画像を記憶するとき、前記表示手段は、前記記憶手段から読み出された見本動画像を前記複数種の撮影フレームレートに応じた再生フレームレートで再生表示することを特徴とする請求項1又は２記載のカメラ装置。
【請求項４】
前記表示手段は、読み出された前記見本動画像又は前記見本合成画像を、前記複数種の撮影フレームレートに対応させて同一画面上に複数表示することを特徴とする請求項１乃至３の何れかに記載のカメラ装置。
【請求項５】
前記記憶手段は、前記複数種の撮影フレームレートの夫々対応付けて撮影条件を説明する説明情報を更に記憶し、
前記表示手段は、前記見本動画像又は前記見本合成画像とともに前記説明情報を読み出して表示することを特徴とする請求項１乃至４の何れかに記載のカメラ装置。
【請求項６】
前記記憶手段は、見本動画像又は見本合成画像と対応付けて、連続撮影された複数の画像を再生させるときの再生フレームレートを記憶することを特徴とする請求項１乃至５の何れか記載のカメラ装置。
【請求項７】
見本動画像又は見本合成画像を記憶する記憶手段を備え、複数種の撮影フレームレート連続撮影するカメラ装置が備えるコンピュータを、
前記複数種の撮影フレームレートから所定の撮影フレームレートを設定する際に、前記記憶手段から前記見本動画像又は前記見本合成画像を読み出して、前記複数種の撮影フレームレートに応じて表示部に再生表示させる表示手段、
この表示手段によって前記複数種の撮影フレームレートに応じて再生表示された見本動画像又は見本合成画像から、所定の撮影フレームレートに応じて再生表示された見本動画像又は見本合成画像の選択を検出する選択検出手段、
この選択検出手段によって選択が検出された見本動画像又は見本合成画像に対応する撮影フレームレートで連続撮影するよう制御する制御手段、
として機能させることを特徴とする撮影制御プログラム。
【請求項８】
複数種の撮影フレームレート連続撮影するカメラ装置の撮影制御方法であって、
前記複数種の撮影フレームレートから所定の撮影フレームレートを設定する際に、予め 見本動画像又は見本合成画像を記憶するメモリから見本動画像又は見本合成画像を読み出して、前記複数種の撮影フレームレートに応じて再生表示させる表示ステップと、
この表示ステップにて前記複数種の撮影フレームレートに応じて再生表示された見本動画像又は見本合成画像から、所定の撮影フレームレートに応じて再生表示された見本動画像又は見本合成画像の選択を検出する選択検出ステップと、
この選択検出ステップにて選択検出された見本動画像又は見本合成画像に対応する撮影フレームレートで連続撮影するよう制御する制御ステップと、
を含むことを特徴とする撮影制御方法。
【手続補正３】
【補正対象書類名】明細書
【補正対象項目名】０００６
【補正方法】変更
【補正の内容】
【０００６】
本発明は、かかる従来の課題に鑑みてなされたものであり、ユーザが所望する再生画像を得られる適切なフレームレートでの動画撮影や連写撮影を可能にするカメラ装置、撮影制御プログラム、及び、撮影制御方法を提供することを目的とする。
【手続補正４】
【補正対象書類名】明細書
【補正対象項目名】０００７
【補正方法】変更
【補正の内容】
【０００７】
前記課題を解決するために請求項１記載の発明は、複数種の撮影フレームレート連続撮影するカメラ装置であって、見本動画像又は見本合成画像を記憶する記憶手段と、前記複数種の撮影フレームレートから所定の撮影フレームレートを設定する際に、前記記憶手段から前記見本動画像又は前記見本合成画像を読み出して、前記複数種の撮影フレームレートに応じて再生表示する表示手段と、この表示手段によって前記複数種の撮影フレームレートに応じて再生表示された見本動画像又は見本合成画像から、所定の撮影フレームレートに応じて再生表示された見本動画像又は見本合成画像を選択する選択手段と、
この選択手段によって選択された見本動画像又は見本合成画像に対応する撮影フレームレートで連続撮影するよう制御する制御手段と、を備えたことを特徴とする。
【手続補正５】
【補正対象書類名】明細書
【補正対象項目名】０００８
【補正方法】変更
【補正の内容】
【０００８】
また、請求項２記載の発明にあっては、上記請求項１記載の発明において、前記記憶手段は、前記見本動画像又は見本合成画像を前記撮影フレームレートに対応させて複数種記憶することを特徴とする。
【手続補正６】
【補正対象書類名】明細書
【補正対象項目名】０００９
【補正方法】変更
【補正の内容】
【０００９】
また、請求項３記載の発明にあっては、上記請求項１又は２記載の発明において、前記記憶手段が見本動画像を記憶するとき、前記表示手段は、前記記憶手段から読み出された見本動画像を前記複数種の撮影フレームレートに応じた再生フレームレートで再生表示することを特徴とする。
【手続補正７】
【補正対象書類名】明細書
【補正対象項目名】００１０
【補正方法】変更
【補正の内容】
【００１０】
また、請求項４記載の発明にあっては、上記請求項１乃至３の何れか記載の発明において、前記表示手段は、読み出された前記見本動画像又は前記見本合成画像を、前記複数種の撮影フレームレートに対応させて同一画面上に複数表示することを特徴とする。
【手続補正８】
【補正対象書類名】明細書
【補正対象項目名】００１１
【補正方法】変更
【補正の内容】
【００１１】
また、請求項５記載の発明にあっては、上記請求項１乃至４の何れか記載の発明において、前記記憶手段は、前記複数種の撮影フレームレートの夫々対応付けて撮影条件を説明する説明情報を更に記憶し、前記表示手段は、前記見本動画像又は前記見本合成画像とともに前記説明情報を読み出して表示することを特徴とする。
【手続補正９】
【補正対象書類名】明細書
【補正対象項目名】００１２
【補正方法】変更
【補正の内容】
【００１２】
また、請求項６記載の発明にあっては、上記請求項１乃至５の何れか記載の発明において、前記記憶手段は、見本動画像又は見本合成画像と対応付けて、連続撮影された複数の画像を再生させるときの再生フレームレートを記憶することを特徴とする。
【手続補正１０】
【補正対象書類名】明細書
【補正対象項目名】００１３
【補正方法】変更
【補正の内容】
【００１３】
また、前記課題を解決するために請求項７記載の発明は、見本動画像又は見本合成画像を記憶する記憶手段を備え、複数種の撮影フレームレート連続撮影するカメラ装置が備えるコンピュータを、前記複数種の撮影フレームレートから所定の撮影フレームレートを設定する際に、前記記憶手段から前記見本動画像又は前記見本合成画像を読み出して、前記複数種の撮影フレームレートに応じて表示部に再生表示させる表示手段、この表示手段によって前記複数種の撮影フレームレートに応じて再生表示された見本動画像又は見本合成画像から、所定の撮影フレームレートに応じて再生表示された見本動画像又は見本合成画像の選択を検出する選択検出手段、この選択検出手段によって選択が検出された見本動画像又は見本合成画像に対応する撮影フレームレートで連続撮影するよう制御する制御手段、
として機能させることを特徴とする。
【手続補正１１】
【補正対象書類名】明細書
【補正対象項目名】００１４
【補正方法】変更
【補正の内容】
【００１４】
また、前記課題を解決するために請求項８記載の発明は、複数種の撮影フレームレート連続撮影するカメラ装置の撮影制御方法であって、前記複数種の撮影フレームレートから所定の撮影フレームレートを設定する際に、予め  見本動画像又は見本合成画像を記憶するメモリから見本動画像又は見本合成画像を読み出して、前記複数種の撮影フレームレートに応じて再生表示させる表示ステップと、この表示ステップにて前記複数種の撮影フレームレートに応じて再生表示された見本動画像又は見本合成画像から、所定の撮影フレームレートに応じて再生表示された見本動画像又は見本合成画像の選択を検出する選択検出ステップと、この選択検出ステップにて選択検出された見本動画像又は見本合成画像に対応する撮影フレームレートで連続撮影するよう制御する制御ステップと、を含むことを特徴とする。
【手続補正１２】
【補正対象書類名】明細書
【補正対象項目名】００１５
【補正方法】削除
【補正の内容】
【手続補正１３】
【補正対象書類名】明細書
【補正対象項目名】００１６
【補正方法】削除
【補正の内容】
【手続補正１４】
【補正対象書類名】明細書
【補正対象項目名】００１７
【補正方法】削除
【補正の内容】
【手続補正１５】
【補正対象書類名】明細書
【補正対象項目名】００１８
【補正方法】削除
【補正の内容】
【手続補正１６】
【補正対象書類名】明細書
【補正対象項目名】００１９
【補正方法】削除
【補正の内容】